(57)【要約】【課題】履物用および健康マット用として足裏刺激効果を有し、長時間の着用、使用が可能な足裏マッサージ用シートまたは足裏マッサージ用シート積層物を提供すること。【解決手段】熱可塑性樹脂シートの一方の面に、規則的に配置された下底側が開口した中空円錐台状凸部が多数突設されたことを特徴とする足裏マッサージ用シートである。【選択図】図５
2008012101.tif 000002
【特許請求の範囲】
【請求項１】
熱可塑性樹脂シートの一方の面に、規則的に配置され、下底側が開口した中空円錐台状凸部が多数突設されたことを特徴とする足裏マッサージ用シート。
【請求項２】
熱可塑性樹脂がポリオレフィン系樹脂又はポリカーボネート樹脂である請求項１記載の足裏マッサージ用シート。
【請求項３】
下底側が開口した中空円錐台状凸部が下底部直径５〜７ｍｍ、上底部直径１．５〜４ｍｍ、高さ３〜６ｍｍ、円錐台状凸部中心間隔６〜１０ｍｍ、シート厚さ０．３〜０．７ｍｍ、円錐台状凸部のテーパー角度が６０〜８０度である請求項１または２記載の足裏マッサージ用シート。
【請求項４】
荷重速度５ｍｍ／分での平板圧縮試験による、平面圧縮強度が３００〜２,０００ｋＮ／ｍ2である請求項１〜３のいずれかに記載の足裏マッサージ用シート。
【請求項５】
下底側が開口した中空円錐台状凸部の中空部に機能化剤を封入してなる請求項１〜４のいずれかに記載の足裏マッサージ用シート。
【請求項６】
請求項１〜５のいずれかに記載の足裏マッサージ用シートの凸部裏面にクッション材を積層してなる足裏マッサージ用シート積層物。
【請求項７】
請求項１〜５のいずれか１項記載の足裏マッサージ用シートまたは請求項５記載の足裏マッサージ用シート積層物を含んでなる靴用中敷。
【請求項８】
請求項１〜５のいずれか１項記載の足裏マッサージ用シートまたは請求項６記載の足裏マッサージ用シート積層物を含んでなる履物。
【請求項９】
請求項１〜５のいずれか１項記載の足裏マッサージ用シートまたは請求項６記載の足裏マッサージ用シート積層物を含んでなる健康マット。
【請求項１０】
航空機搭乗時用又は車両乗車時用である請求項９記載の健康マット。
【発明の詳細な説明】
【技術分野】
【０００１】
本発明は、靴底、スリッパ、台所マット、風呂場マットに使用できる足裏マッサージ用シートおよび該足裏マッサージ用シートをクッション材と積層した足裏マッサージ用シート積層物に関するものである。
【０００２】
足裏には、経絡（ツボ）が集中していることから、これをイボ状突起で刺激して血行を良くし、健康増進を図ることが種々試みられている。足裏刺激効果を応用し、種々の大きさの突起を表面に形成した健康サンダル、健康スリッパ、靴用中敷、割り竹状足踏み、健康マット等が既に多数市販されている。
しかし、この種の物品は、突起部が中実であるため重量増を来たし、重くて履き心地を
低下させたり、ゴム系材質や塩ビ系材質であるものが多く、耐候性や、可塑剤のブリードアウトにより汚れ易いなどの問題があった。
また、健康マットは、サイズが大きくなるため、一層高重量となり、取扱い性の悪化とコストの上昇を来たしていた。
【０００３】
また、突起部の製造方法としても、サンダル、スリッパ、靴用中敷等は、足型に合わせて、土踏まずの部分は膨化し、全体に異なる直径、高さの突部を配するなど複雑な形状を有しているため、射出成形により、かつ足のサイズごとの大きさを準備する必要がある。
一方、台所等の屋内床面上に敷設する健康マットとして、足裏刺激の度合いをソフトと台所等の屋内床面上に敷設する健康マットとして、足裏刺激の度合をソフトとハードとに使い分け可能であり、軽い刺激と強い刺激が得られるように選択できるものが開示されている（特許文献１）。
特許文献１に記載の健康マットは、平坦な下敷きシート部と周枠部とを備えたベース上に、表裏両面に互いに反対面側で凹所となる独立凸部群を有する合成樹脂製の凹凸シートが着脱可能に敷設され、凹凸シートの表面側の独立凸部と裏面側の独立凸部が異なる大きさに設定されてなるものとしている。そして、該凹凸シートは、例えばポリプロピレン、ポリエチレン、ポリスチレン、ポリエチレンテレフタレート、ポリカーボネート等の汎用樹脂の厚さは、０．３〜１．０ｍｍ平坦シートを原材とし、頂部径が３〜１０ｍｍ程度、両者の頂部径の比が前者／後者で１／０．３〜１／０．７程度、配置ピッチが１０〜３０ｍｍ程度になるよう、加熱下で型押し成形、真空成形、圧空成形等を施すことによって独立凸部群を形成方法が提案されている。
【０００４】
しかし、特許文献１記載のシートは、凸部の配置ピッチが１０〜３０ｍｍと広いため、足裏面に対する凸部の数が少ないため、凸部と接触している部分での刺激効果は高いが、足裏全体で比較的長時間の使用には不適と考えられる。この、凸部のピッチの問題は、当該シート構造、すなわち、表裏面に異なる直径の凸部を配するため、どうしてもピッチは１０ｍｍ以上とならざるを得ない。また、製造方法も表裏面に異なる直径の凸部を形成するため、平坦シートを加熱下で型押し成形、真空成形、圧空成形等で成形するため、バッチ成形を余儀なくされ、連続生産は不可能で生産コストの問題があった。
このように、履物用および健康マット用として、また、特に航空機搭乗中や車両乗車中での長時間の着用、使用が可能で、かつ軽量にして低コストで、適度の足つぼ刺激効果を有する足裏マッサージシートは未だ提案されていない。
【０００５】
【特許文献１】特開２００５−１９８８１１号公報
【発明の開示】
【発明が解決しようとする課題】
【０００６】
本発明は、上記従来技術の問題点を解決するためになされたものであって、その目的は、履物用および健康マット用として足裏刺激効果を有し、航空機搭乗時や車両乗車時などの長時間の着用、使用が可能な足裏マッサージ用シートまたは足裏マッサージ用シート積層物、健康マットを提供することにある。
【課題を解決するための手段】
【０００７】
本発明者らは、上記目的を達成すべく鋭意研究した結果、熱可塑性樹脂シートの一方の面に、規則的に配置された下底側が開口した中空円錐台状凸部が多数突設された足裏マッサージ用シートとすることで上記目的が達成されることを見出した。
すなわち、本発明は、
（１）熱可塑性樹脂シートの一方の面に、規則的に配置された下底側が開口した中空円錐台状凸部が多数突設されたことを特徴とする足裏マッサージ用シート、
（２）前記（１）記載の足裏マッサージ用シートの凸部裏面にクッション材を積層してなる足裏マッサージ用シート積層物、
（３）  前記（１）記載の足裏マッサージ用シートまたは前記（２）記載の足裏マッサージ用シート積層物を含んでなる靴用中敷、
（４）前記（１）記載の足裏マッサージ用シートまたは前記（２）記載の足裏マッサージ用シート積層物を含んでなる履物、および
（５）前記（１）記載の足裏マッサージ用シートまたは前記（２）記載の足裏マッサージ用シート積層物を含んでなる健康マット
を提供するものである。
【発明の効果】
【０００８】
本発明の足裏マッサージ用シートは、熱可塑性樹脂シートの一方の面に、規則的に配置された下底側が開口した中空円錐台状凸部が多数突設された状態としているので、足裏全体に該下底側が開口した中空円錐台状凸部が接触するため、接触した足裏の全体に荷重が等分布されるに近い状態となって、過度に刺激が集中することがないため、苦痛がなく長時間の使用が可能で、適度の足裏マッサージ効果が得られる。
【発明を実施するための最良の形態】
【０００９】
図１（Ａ）本発明の足裏マッサージシートの構造を示す表面側斜面図である。
（Ｂ）凸部の構造を示す拡大断面図である。
図２  本発明の足裏マッサージシートの構造を示す裏面側斜面図である。
図３  凹部に機能化剤を充填した実施態様を示す拡大断面図である。
図４  クッション材を積層した実施態様を示す拡大断面図である。
図５  靴用中敷の実施態様の説明図である。
図６  サンダルの実施態様の説明図である。
図７  健康マットの実施態様の説明図である。
本発明の足裏マッサージ用シートは、熱可塑性樹脂シートの一方の面に、規則的に配置された下底側が開口した中空円錐台状凸部（以下単に「凸部」という場合がある。）が多数突設されたことを特徴とする。
以下に、本発明に係わる足裏マッサージ用シートの実施形態について、図面を参照して具体的に説明する。図１（Ａ）は、本発明の足裏マッサージシートの構造を示す表面側斜面図、同図（Ｂ）は、凸部の構造を示す拡大断面図、図２は、足裏マッサージシートの構造を示す裏面側斜面図である。
図１に示す足裏マッサージ用シート１は、熱可塑性樹脂からなるシート状のものを素材とし、この素材を用いて周知の成形機（ロール成形機等）により所定の形状に成形したものであって、シート状の本体部２と、本体部２の一方の面に規則的に設けられる複数の凸部４とを備えている。
【００１０】
足裏マッサージ用シート１の材料としては、特に限定されるものではなく、各種の熱可塑性樹脂を用いることができるが、コスト面、成形性、物性、その他の特性とのバランスを考慮すると、ポリプロピレンが好ましく、また、航空機搭載用途や車両搭載用途には自己消火性を有するポリカーボネートが好ましい。
足裏マッサージ用シート１の剛性を高める目的で、フィラーを副材料として添加しても良い。
副材料は、特に限定されるものではないが、コスト面、成形性、取り扱い性等とのバランスを考慮すると、タルク、炭酸カルシウム等が好ましい。フィラーの添加量が増加すると、コスト高、比重の増大につながるので、これらのバランスを考慮すると、添加量は総重量に対してタルクの場合は５重量％、炭酸カルシウムの場合は２０重量％程度以下とするのが好ましい。
さらに、前記フィラーの他に、酸化防止剤、紫外線吸収剤、帯電防止剤、抗菌剤、難燃剤、光安定剤、滑剤等を必要に応じて添加もしてもよい。
【００１１】
複数の凸部４は、本体部２の一方の面（表面）に規則的に設けられる下底側が開口した中空円錐台状をなすものであって、この実施の形態においては、本体部２の長手方向に沿って所定の間隔ごとに凸部４を一列に設けて凸部列３を構成し、このような凸部列３を本体部２の幅方向に所定の間隔ごとに複数列設けて構成している。
【００１２】
各凸部４は、内面側に本体部２の他方の面（裏面）に開口する凹部５を有する中空状をなすものであって、外周面が先端から根元にかけて直径が次第に増大するテーパー面の円錐台状に形成され、かつ、各凸部４は、同一形状、大きさに形成されている。
各凹部５は、内面が先端（最深部）から根元（開口端部）にかけて次第に直径が増大するテーパー面の円錐形状の空間に形成されている。各凹部５は、同一形状、大きさに形成されている。
各凸部４の外周面のテーパー角度と各凹部５の内周面のテーパー角度とは同一に形成すると、足型形状等に切断後に足裏マッサージ用シート１を重ね合わせることが出来て、保管等に便利である。
【００１３】
各凸部４のテーパー角度及び各凹部５のテーパー角度は、４６〜８０°の範囲内とし、より好ましくは６０〜７５°の範囲内とする。テーパー角度が６０°未満であると、足裏マッサージ効果が低減する。また、テーパー角度を７５°以上とすると、足裏刺激効果大きくなりすぎて、長時間の使用の着用がしにくくなる。
また、各凸部４の下底部直径は４〜１０ｍｍ、上底部直径１．５〜４ｍｍ、各凸部列３の凸部４、４間のピッチは６〜１０ｍｍ、隣接する凸部列３、３間のピッチは６〜１０ｍｍ、凸部の高さは３〜７ｍｍとする。隣接する凸部列３、３間及び４，４間のピッチが６ｍｍ以下あるいは１０ｍｍ以上となると、足裏刺激効果が大きくなりすぎて、長時間の使用の着用がしにくくなる。凸部の高さが３〜７ｍｍであれば、足裏マッサージシートとして靴用中敷用と健康マット用に兼用でき、かつ、長時間の使用においても、適度の足裏刺激効果が得られ、また、足裏表皮と本体部上部との間に若干の隙間を形成できるので、汗等の湿気を放散させることが可能となり、水滴が凝集するのを防ぎ、足蒸れを防ぐことができる。
本体部２の厚みは、０．１〜１ｍｍが好ましい。本体部２の厚みを０．１ｍｍよりも薄くすると、成形機により成形して複数の凸部４を形成した場合に、各凸部４が極薄のフィルム状態で十分な剛性が得られなくなるので、着用直後に凸部が破壊してしまう。
本発明の足裏マッサージ用シートは、例えば、特開２００５−１７０５１３号公報に記載のシート状物の製造方法により得ることができる。
【００１４】
本発明の足裏マッサージ用シートは、足裏マッサージ効果と連続使用性の観点から、荷重速度５ｍｍ／分での平板圧縮試験による、平面圧縮強度が３００〜２,０００ｋＮ/ｍ2であるシートを用いることができる。
平面圧縮強度が３００〜２,０００ｋＮ/ｍ2の範囲であれば、適度の足裏マッサージ効果が得られ、１０時間程度連続使用しても足裏に苦痛を感じることのない適度の使用感が得られる。
【００１５】
本発明の足裏マッサージ用シートには、図３に示すように、下底側が開口した中空円錐台状凸部の裏面側の凹部５に機能化剤６を封入することができる。機能化剤６としては、血流促進が期待される磁性体や、木炭粉、竹炭粉等の脱臭吸着剤、各種消臭剤、薬草，茶葉，花等植物の乾燥粉末、合成芳香剤、及び滅菌剤等使用時に血行促進や温熱感、快適感等が得られるものや、水虫等の発生防止効果が期待でき、当該裏面側凹部に封入可能な粒径のものが好ましい。
機能化剤６を裏面側凹部５に封入するには、凹部５に機能化剤を充填した後、シート本体部２の裏面側に、当該機能化剤の粒径に応じて、これらが漏出しない材質の薄いフィルム等のシート状物７を貼着すればよい。この種のシート状物７としては、各種プラスチックのフィルム、織布、不織布、皮革等が挙げられ、これらのシートにおいて、ガス透過性を勘案して選択すれば、当該機能化剤の放散度合いをコントロールして、いわゆる徐放性にすることもできる。
【００１６】
本発明の足裏マッサージ用シートは、図４に示すように、シート本体部２の裏面側にクッション材８を積層してなる足裏マッサージ用シート積層物２０とすることができる。
クッション材としては、織布、不織布、及び熱可塑性樹脂製発泡シート等が好適であるが、この他にニードルパンチカーペット、反毛フェルトなどの繊維製クッション材であってもよい。
クッション材を積層することによって、凸部から足裏に伝達されマッサージ効果となる自体重からの負荷が、クッション効果によって、足裏に瞬時に局部に集中することなく拡散、緩和されるので、足裏全体に適度のマッサージ効果を得ることができる。
また、クッション材を積層することで、これをベースとして、滑り止め材やその他の機能性シートを積層しやすくなる場合もある。
本発明の足裏マッサージ用シート１にクッション材８を積層するには、本体部の裏面側に接着剤または熱融着等によりクッション材８を貼着すればよい。
【００１７】
なお、クッション材の好適な例として、ポリプロピレン樹脂を芯材とし、この芯材よりも融点の低いポリプロピレン樹脂を鞘材とした鞘芯構造のポリプロピレン繊維を使用して得られた織布を、ポリプロピレン樹脂製の多数の筒状突起体を有するシート状物に積層させた積層体（特開２００６−１０３５号公報参照）の応用も推奨される。
当該特開２００６−１０３５号公報に記載の積層用シートは、芯成分をホモポリプロピレン樹脂とし、鞘成分を芯成分樹脂の融点より２０℃以上低いエチレンプロピレン、エチレン−１ブテン−プロピレン等の２元、３元共重合ポリプロピレン樹脂からなる複合繊維から製造するものである。芯成分と鞘成分との融点差を２０℃以上とするのは、２０℃未満である場合、この線状複合材を熱賦形する際、芯成分まで溶融し、形状を保持できなくなる。また、  芯成分と鞘成分の断面積比（芯／鞘）は、９／１から１／９の間であればよく、特に限定されるものではないが、引張物性および構造板との接着性の点で、６／４から４／６の範囲であることが望ましい。積層時の接着強度を向上させたいときには、マトリックス成分である鞘比率を上げ、構造板の強度を向上させたいときには、芯比率を上げればよい。
【００１８】
繊維の製造方法は、まず、定法の複合紡糸設備及び芯鞘型複合紡糸ノズルを用い未延伸糸を得る。この時、ノズルのホール数は２０から５００ホールとする。この未延伸糸フィラメントを集束し、鞘成分の融点以上、芯成分の融点以下の温度に設定した高圧蒸気延伸槽内を通過させ、延伸倍率１０倍以上の設定でローラー延伸を行い、延伸と共に鞘成分を溶融させることで繊維間を融合させ、トータル繊度１１０から５,５００ｄｔｅｘの延伸融合複合繊維を得る。なお、延伸融合複合繊維は引張強度が４．０ｃＮ／ｄｔｅｘ以上であることが望ましい。
次いで、延伸融合複合繊維を使用し、定法にて、平織、綾織、２軸平織、３軸平織等の織布とする。織物形態は、特に限定されるものではない。
足裏マッサージシートへの積層は、上記方法により得られた織布を加熱ロール等を使用して鞘成分を溶融させた後、ロール或いはラミネーター等を使用して加圧しながら足裏マッサージシートに積層する。足裏マッサージシートはその形状を保持できる程度の予熱を行うことで、より接着強度は向上する。
【００１９】
本発明の足裏マッサージ用シートまたは足裏マッサージ用シート積層物は、図５に示す様な靴用中敷３０とすることができる。靴用中敷３０とするには、連続広幅状の足裏マッサージ用シート１または足裏マッサージ用シート積層物２０を、図５に示す様に靴の大きさに切断して、靴中に装用すればよい。
また、足裏の特定部位、例えば土踏まずを特にマッサージしたい場合は、相当する部位を高くすることによって対応できる。そのためには、平面状の本発明の足裏マッサージ用シートをプレス熱成形等によって、足裏の凹凸形状に即して賦型すればよい。さらに、靴の全体に本発明の足裏足裏マッサージ用シートまたは足裏マッサージ用シート積層物を配設する必要はなく、かかと、つま先、土踏まずなど必要部位の大きさにカットし、これらの部位のみに配置することができる。
【００２０】
また、本発明の足裏マッサージ用シートまたは足裏マッサージ用シート積層物は、これをサンダル、靴、スリッパ等に配して使用することができる。図６は、サンダル４０に応用した場合を示す。
本発明の足裏マッサージ用シートまたは足裏マッサージ用シート積層物は必ずしも最外表面とする必要はなく、表面にはカバー等の表層材を別途設けてもよい。
【００２１】
本発明の足裏マッサージ用シート１または足裏マッサージ用シート積層物２０は、図７に示すように健康マット５０とすることができる。同図に示す健康マット５０は、クッション材を積層した所定の大きさの足裏マッサージ用シート積層物２０に、周枠９を取り付けたものである。必要に応じて裏面にゴム状材質等からなる滑り止めシートを取り付けてもよい。
健康マット５０は、航空機搭載用途や車両搭載用途には、足裏マッサージ用シート１または足裏マッサージ用シート積層物２０を所定の大きさで周枠を有する薄型の収納可能な
容器（台）と組み合わせ、該容器（台）の外底の摩擦係数を考慮し、例えばゴム系の材質等を選択すれば、床面やカーペット等との滑りを抑えて、足裏マッサージを好適に行うことができ、また持ち運びや収納にも見栄えがよい。また、前記容器（台）は、軽量性、衛生性を考慮して、プラスチックを選択してもよい。
【実施例】
【００２２】
以下、本発明を実施例及び比較例により説明するが、本発明はこれらの実施例になんら限定されるものではない。
【００２３】
実施例１
熱可塑性樹脂としてポリプロピレン（日本ポリケム製ＥＡ９、ホモポリプロピレンＭＩ＝０．５ｇ／１０分）９５質量％に、タルク含有率７０質量％のマスターバッチ（竹原化学工業製、MAX2070T）のフィラーを５質量％添加し、ドライブレンドしたものを主原料とした。
前記原料を溶融押出機に供給し、Ｔ型ダイより幅１２５ｍｍ、厚み１．０ｍｍの溶融樹脂シート状で押出し、真空チャンバに回転可能に配置されたエンボスローラーの周面に溶融樹脂シートを真空吸着させ、エンボスローラーを回転させることにより、エンボスローラーに突設されたピン形状に応じて樹脂シートに規則的に配置された多数の筒状突起体を有するシート状物を得、これを冷却固化して、図１に示すような凸部４を多数有する足裏マッサージシート１を得た。
得られた足裏マッサージシート１は、下底側が開口した中空円錐台状凸部４の構成がテーパー角７２°、下底部の直径６ｍｍ、下底部間隔２ｍｍ、上底部直径２ｍｍ、凸部のピッチ８ｍｍ、凸部高さ４．５ｍｍ、シート本体部０．５ｍｍ、全幅１１７ｍｍに凸部を１７列配したもので、単位重量が５００ｇ／ｍｍ2、長さ１,０００ｍｍのものである。
この足裏マッサージシートの前述の測定条件での平板圧縮試験による、平面圧縮強度が１,４００ｋＮ／ｍ2であった。
（靴底着用試験）
この足裏マッサージシート１から足型に切り出し、革靴に敷き詰めて、この靴の着用テストを５名で行った。
テスト者５名とも、着用数分後から、足裏から体全体に暖かみが伝わっていく感じで、足裏からの痛みを感じることなく、１０時間履きつつづけても、足の疲労感を感じることはなかった。
【００２４】
実施例２
熱可塑性樹脂として実施例１のポリプロピレンに変えてポリカーボネート樹脂（三菱エンジニアリングプラスチックス（株）製、NOVAREX  M7027U）を使用した他は、実施例１と同様にして、足裏マッサージシートを作製した。得られた足裏マッサージシートの凸部の寸法、配列は実施例１のものと同一で、単位重量が５００ｇ／ｍｍ2のものであった。
この足裏マッサージシートの前述の測定条件での平板圧縮試験による、平面圧縮強度が１,８００ｋＮ／ｍ2であった。
（靴底着用及び座席の床敷設試験）
実施例１と同様にこのシートを足型に切り出し、革靴に敷き詰めて、５名のテスト者にてこの靴の着用を開始した。
５名とも着用数分後から、足裏から体全体に暖かみが伝わっていく感じで、足裏からの痛みを感じることなく、１０時間履きつつづけても、足の疲労感を感じることはなかった。
また航空機の座席床面に、健康マットとして使用することを想定して試験として、５名のテスト者に椅子に着席させ、足元全体にこのシートを敷き詰めて、常時このシートが足裏に接触させるようにした。この結果１０時間経過した後でも、足の疲労感を感じることはなかった。なお海外渡航における平均的な航空機搭乗時間は、約１０時間であり、この試験結果から、航空機内設置用健康マットとして有用である。
【００２５】
実施例３
実施例１で得られた足裏マッサージ用シートに、ポリプロピレン系鞘芯複合繊維を原材料とする織布を積層した足裏マッサージシート積層体とする健康マットを次のようにして得た。
（延伸融合複合繊維による平織布の製造）
芯成分をホモポリプロピレンとし（ＳＡ０２，日本ポリプロ製，ＭＦＲ＝２０，Ｑ値＝３．５）、鞘成分をブロック状コポリプロピレン（ＰＭ９４０Ｍ，サンアロマー製，ＭＦＲ＝３０，エチレン添加量５．０％）として、鞘芯比率５０／５０、φ０．６−１５０ホールノズルを使用し、ノズル温度２４０℃、引き取り速度２３ｍ／ｍｉｎにて紡糸を行い、未延伸糸を得た。その後さらに、高圧蒸気延伸槽（１５０℃）、延伸速度３００ｍ／ｍｉｎにて延伸し、延伸倍率１３．０倍、トータル繊度１，３００ｄｔｅｘの延伸融合複合繊維を得た。この延伸融合複合繊維は、鞘成分より高温で延伸することによって延伸時に隣接する鞘部が融合して海成分となり、芯部を島成分とする海島状の複合繊維が形成されていた。この延伸融合複合繊維を使用し、定法にて、厚み１．０ｍｍ、目付２５０ｇ／ｍ2の平織布を作製した。
（足裏マッサージシート積層体および健康マットの製造）
上記平織布を加熱ロールにて鞘成分を溶融させ、８０℃にて予熱した実施例１記載の足裏マッサージ用シートの裏面に加熱しながら貼り合わせ、厚み５．５ｍｍ、目付７５０ｇ／ｍ2の足裏マッサージ用シート積層体を得た。
この幅１１７ｍｍの足裏マッサージ用シート積層体を、３列並べて、内寸３５２×５００ｍｍで周枠９を有する深さ５ｍｍの木製台に収納し、健康マット５０とした。
得られた健康マットを、台所に置き、炊事作業時に足裏マッサージを行なったところ、適度のマッサージ効果が得られた。
【産業上の利用可能性】
【００２６】
本発明の足裏マッサージ用シート又は足裏マッサージ用シート積層体は、熱可塑性樹脂シートの一方の面に、規則的に配置された下底側が開口した中空円錐台状凸部が多数突設された状態としているので、足裏全体に該下底側が開口した中空円錐台状凸部が接触するため、接触した足裏の全体に荷重が等分布されるに近い状態となって、過度に刺激が集中することがないため、苦痛がなく長時間の使用が可能で、適度の足裏マッサージ効果が得られるので、靴用中敷、サンダル等の履物、家庭用，航空機搭乗時用，車両乗車時用等の健康マットに好適に利用できる。
【図面の簡単な説明】
【００２７】
【図１】（ａ）本発明の足裏マッサージシートの構造を示す表面側斜面図である。（ｂ）凸部の構造を示す拡大断面図である。
【図２】本発明の足裏マッサージシートの構造を示す裏面側斜面図である。
【図３】凹部に機能化剤を充填した実施態様を示す拡大断面図である。
【図４】クッション材を積層した実施態様を示す拡大断面図である。
【図５】靴用中敷の実施態様の説明図である。
【図６】サンダルの実施態様の説明図である。
【図７】（ａ）健康マットの実施態様の説明図である。（ｂ）健康マットの凸部の配置状況の説明図である。
【符号の説明】
【００２８】
１          足裏マッサージ用シート
２          本体部
３          凸部列
４          下底側が開口した中空円錐台状凸部（凸部）
５          凹部
６          機能化剤
７          シート
８          クッション材
９          周枠
１０          機能化剤入り足裏マッサージ用シート
２０          足裏マッサージ用シート積層体
３０          靴用中敷
４０          サンダル
５０          健康マット
【図１】
2008012101.tif 000003
【図２】
2008012101.tif 000004
【図３】
2008012101.tif 000005
【図４】
2008012101.tif 000006
【図５】
2008012101.tif 000007
【図６】
2008012101.tif 000008
【図７】
2008012101.tif 000009